(57)【要約】  本発明は、陰極線管（１）のためのフォーカスマスク（３０）及びフレームアセンブリ（１０）を提供する。陰極線管は、発光体スクリーン（１２）と、フォーカスマスクと、陰極線管内で電子銃（１３）とスクリーンとの間でフォーカスマスクを支持するための少なくとも２つの長い側面（２２、２４）を有するサポートフレーム（２０）を包含するイバクエイテッドエンベロープ（２）を含む。フォーカスマスクは、複数のストランドから形成される有効なアレイエリア（３７）と、絶縁物質によって分離され、アレイエリア内の複数の集束アパーチャを明確にするクロスワイヤー（３４）を有する。ボーダー（４６）は、有効なアレイエリアの上下の外端（４２）に沿った絶縁物質と反対のストランド（３２）に取り付けられる。ボーダーは、クロスワイヤーがボーダーの一部に重なり、ボーダーがアレイの上下の端に沿ったストランドを備える集束アパーチャを形成するように有効なアレイエリア内に延在する。
2005513719.tif 000002
【特許請求の範囲】
【請求項１】
フォーカスマスク（３０）と、電子銃（１３）と発光体スクリーン（１２）との間で陰極線管内に設置されたサポートフレームアセンブリ（１０）とを有する陰極線管（１０）であって、該陰極線は、
２つの相対する長い側面（２２、２４）と、前記フレームの反対の側面に取り付けられたフォーカスマスクとを有し、且つ複数のストランド（３２）から形成された反対の側面とクロスワイヤー（３４）との間の集束アパーチャの有効なアレイエリア（３７）を有するサポートフレーム（１０）と、
前記反対の側面に沿った前記絶縁物質の反対の前記ストランドに取り付けられる少なくとも一つの新規なボーダー（４６）と、からなり、
前記ストランド及びクロスワイヤーは絶縁物質によって分離されて、
前記クロスワイヤーは前記ボーダーの一部分に重なり、前記新規なボーダーは前記アレイの上下の端（４２）に沿った前記ストランドを備える集束アパーチャを形成することを特徴とする陰極線管。
【請求項２】
前記ストランドは、前記フレームの反対の側面に固定されて、拡張されたアパーチャ状の部分を前記反対の側面間に形成する、拡張された金属要素であることを特徴とする請求項１に記載のフォーカスマスクアセンブリ。
【請求項３】
前記新規なボーダーは、前記スクリーンの上下の見ることができるスクリーンエッジを定義するために、前記フレームの前記反対の側面から前記アレイエリアまで延在することを特徴とする請求項１に記載のフォーカスマスクアセンブリ。
【請求項４】
前記新規なボーダーは、前記フォーカスマスクの側面に面する銃に取り付けられたことを特徴とする請求項１に記載のフォーカスマスクアセンブリ。
【請求項５】
発光体スクリーン（１２）と、電子銃（１３）の側面を有しサポートフレーム（１０）によって前記スクリーンを備えるレジスターでサスペンドされたフォーカスマスク（３０）と、前記スクリーンの主軸（Ｘ）に対して平行であり、前記フレームの反対の長い側面（２２、２４）に接続される一対の反対のサポートブレード（４２）とを包含するイバクエイテッドエンベロープ（２）を含む陰極線管（１）であって、該陰極線管は、
絶縁物質によってストランドから分離されて、前記ストランドに対して実質的に垂直で方位された複数の間隔が置かれたクロスワイヤー（３４）と、
前記絶縁物質の反対の前記ストランドに取り付けられて、前記マスクの有効なアレイエリア内に延在している新規なボーダーとからなり、
前記フォーカスマスクは複数の間隔が置かれたストランド（３２）を有し、前記ストランドは前記ストランドの端で固体のエッチングされたボーダー（３６）で終了し、前記固体のエッチングされたボーダーは前記反対のブレードに接続し、
前記クロスワイヤー及びストランドは集束アパーチャの有効なアレイエリア（３７）を形成し、
前記クロスワイヤーは前記新規なボーダーの一部分に重なることを特徴とする陰極線管。
【請求項６】
前記新規なボーダーは前記フォーカスマスクの前記銃の側面上の前記ストランドに取り付けられたことを特徴とする請求項５に記載の陰極線管。
【請求項７】
前記新規なボーダーは、前記マスクの前記固体のエッチングされたボーダーの端に重なることを特徴とする請求項５に記載の陰極線管。
【発明の詳細な説明】
【技術分野】
【０００１】
本発明は、フォーカスマスクを有する陰極線管に関し、より詳細には、マスク構造を備えるフォーカスマスクと改善されたボーダーを備えるサポートフレームを有する管に関する。
【背景技術】
【０００２】
陰極線管又はＣＲＴは、管のスクリーンに対する３電子を形成し導くための電子銃を含む。スクリーンは、管の前面パネルの内面に位置し、３つの異なる色の発光体のアレイ要素から作製される。形成されたマスク又はストランドを有するテンションマスクのいずれかであってよいシャドーマスクは、電子銃とスクリーンとの間に位置する。電子銃から放射される電子ビームは、画像が前面パネルの見る面に表示されるように、シャドーマスクのアパーチャを通過し、発光体に光を放射させるスクリーンを打つ。
【０００３】
別のタイプのシャドーマスクは、マスクサポートフレーム及び並列な伝導性のクロスワイヤーのアレイ上にテンションされた並列な伝導性ストランドのアレイからなるマスク構造を有するフォーカスマスクである。ストランドは、サポートフレームに溶接されるエッチングされた固体のボーダーを備える上部及び底部で終了する。マスクの固体のボーダーは、管のスクリーンのスクリーンアレイの周囲を定義するマトリックスのブラックサラウンド（ｂｌａｃｋ  ｓｕｒｒｏｕｎｄ）を形成するための光学端として役立つ。クロスワイヤーはストランドに対して垂直に位置し、絶縁体によってストランドから分離する。コンダクタの２つのアレイは、有効なアレイエリアと呼ばれる固体のボーダー間で、アパーチャ又はマスク開口部を形成する。異なる高電圧はコンダクタの各アレイに印加され、それによって、有効なアレイエリアの各マスク開口部で電子ビームを加速し且つ集束するための電子的な拡大レンズ、又はフォーカスレンズを提供する。
【０００４】
一般的に、クロスワイヤーはストランドのスクリーンの側面に適用され、有効なアレイ端の近くのマスクの固体のボーダーの少なくとも１つのセクションに重なる。フォーカスマスクの固体のボーダーは、クロスワイヤーが固体のボーダーに重なるところで有効なアレイ端の近くのコンダクタの２つのアレイ間の絶縁体の適切な分配及び必要な絶縁性能を防ぐ傾向がある。クロスワイヤーからのストランドの不適当な絶縁は、フォーカスマスクの後の失敗に結びつく電気的なショートに帰着するかもしれない、有効なアレイ端の近くの一つ以上の場所でコンダクタ間のアーキング（ａｒｃｉｎｇ）を導くかもしれない。
【０００５】
マスクの固体のボーダーでの前述のような問題は、固体のボーダー領域に近いクロスワイヤーの除去を導いているか、又はマスクサポートフレームに対するマスクストランドの個々の取り付けを導いており、ここで固体のマスクボーダーはフレームに取り付けられない。しかしながら、固体のボーダー領域に近いクロスワイヤーを除去することは、管の集束領域を減少する有効なアレイ端に沿う集束アパーチャを除去する。加えて、ストランドは、溶接中に溶接装置の押す作用から移動する傾向にあるので、マスクストランドの個々の取り付けは問題となっている。さらに、固体のボーダーは適切なマトリックス印刷のための管の上部及び底部位置で光学端としての役割をするので、固体のボーダーの欠損は望ましくない。
【発明の開示】
【発明が解決しようとする課題】
【０００６】
したがって、本発明は、陰極線管での使用におけるフォーカスマスクのための改善されたボーダーを提供することが望ましい。
【課題を解決するための手段】
【０００７】
本発明は、陰極線管のためのフォーカスマスク及びフレームアセンブリを提供する。陰極線管は、発光体スクリーンと、フォーカスマスクと、及びスクリーンを備えるレジスターでフォーカスマスクを保持するためのサポートフレームを包含するイバクエイテッドエンベロープ（ｅｖａｃｕａｔｅｄ  ｅｎｖｅｌｏｐｅ）を含む。フォーカスマスクは、複数の並列な間隔が置かれたストランドと、絶縁物質によってストランドから分離され、集束アパーチャの有効なアレイエリアを形成するストランドと実質的に垂直で方位付けされた、複数の間隔が置かれたクロスワイヤーとを含む。新規なボーダーは、絶縁物質に反対のストランドに取り付けられ、有効なアレイエリアの上下の外部端に延在し、ここでクロスワイヤーはボーダーの一部分に重なる。
【発明を実施するための最良の形態】
【０００８】
本発明は、添付図を参照しながら実施例の方法によって記載されるだろう。
【０００９】
図１は、長方形の前面パネル３とフューネル５によって接続された管状のネック４とを含むガラス包２を有する陰極線管（ＣＲＴ）１を示す。フューネル５は、陰極ボタン６から前面パネル３に向かってネック４まで延在する、内部の伝導性コーティング（示されていない）を有する。前面パネル３は、見る前面８と、ガラスフリット７によってフューネル５に密封された周辺のフランジ又は側壁９とを含む。三色の発光体スクリーン１２は、前面パネル３の内面によって保持される。スクリーン１２は三構造に配置された発光体ラインを備えるラインスクリーンであり、三構造の各々は三色の各色の発光体ラインを含んでいる。フォーカスマスクのサポートフレームアセンブリ１０は、スクリーン１２に関する所定の間隔で移動式に取り付けられる。図１の点線によって概略して示す電子銃１３は、フォーカスマスクのフレームアセンブリ１０からスクリーン１２への集中経路に沿って中心のビーム及び２つの横の又は外側のビームである、３つのインライン電子ビームを生じて導くようにネック４内の中心に取り付けられる。
【００１０】
ＣＲＴ１は、フューネルとネックの結合に隣接して示される外部の磁気偏向ヨーク１４で使用されるように設計される。活性化された場合、ヨーク１４は、スクリーン１２上の長方形のラスターでビームを水平且つ垂直に走査させる３ビームを磁界にさらす。
【００１１】
図２で示されるテンションマスクフレームアセンブリ１０は、２つの長い側面２２及び２４と、２つの短い側面２６及び２８とを有する。テンションマスクフレームアセンブリ１０の２つの長い側面２２及び２４は、管の中心の主軸Ｘに対して平行であり、短い側面２６及び２８は、管の中心の短軸Ｙに対して平行である。側面２２、２４、２６、２８は、好ましくは長方形の管状物質を形成する。しかしながら、前述のそれらの側面を形成するために他の幾何学的な管状物質又は他の固体物質が活用され得ることを理解するべきである。２つの長い側面２２、２４と２つの短い側面２６、２８は、好ましくは、連続的なマスクサポートのサブフレームを形成し、一般的に、フォーカスマスク３０に平行な共通の平面に位置する。一対の反対のサポートブレード要素４０は、２つの長い側面２２、２４に取り付けられる。マスク３０は、下記に記載されるように各サポートブレード要素４０のエッジ４２によってサポートされる。
【００１２】
図３を参照するに、フォーカスマスク及びサポートフレームアセンブリ１０の一つの実施態様の分解部分が示される。この実施態様において、フォーカスマスク３０は、エッチングされるか、そうでなければ、短軸と平行である、多様性の先細形のアパーチャ状部分をストランド間に形成する、複数の間隔が離れたストランド３２を生成するように処理される伝導性物質の薄シートから形成される。ストランド３２の反対の端は、例えば、ホイール型の抵抗ウェルダーによるか、又はレーザー溶接などの他の溶接方法によってエッジ４２で各サポートブレード要素４０に取り付けされる、上部及び底部の固体のエッチングされたボーダー３６で終了する。ストランド３２は短軸Ｙに対して平行で延在し、複数の間隔が離れたクロスワイヤー３４は、主軸Ｘに対して平行に延在する。クロスワイヤー３４は、クロスワイヤーに対する電圧と同様に、テンションを提供するようにクロスワイヤーの末端上のバスバー（示されていない）に結合される。クロスワイヤーは、分離されて、鉛に基づいたフリット（示されていない）などの適切な絶縁体によってストランド３２から電気的に絶縁される。
【００１３】
クロスワイヤー３４とストランド３２の組み合わせは、操作中に電子ビームが電子銃１３からスクリーン１２へと通過する、複数の正確に位置付けられた集束アパーチャを形成する。それらのアパーチャは反対のブレード要素４０間の有効なアパーチャのアレイエリア３７を定義する。新規なボーダー４６は、フォーカスマスクで使用するためのケイ酸カリウム、銀のフレークでドープしたＫＡＳＩＬ又は他の適切な接着剤などの伝導性の接着剤を使用して、有効なアレイエリアの上下の外部端に近い、好ましくは、フォーカスマスク３０の側面に面する銃上で絶縁物質とは反対のストランドに取り付けられる。ボーダー４６は、クロスワイヤーがボーダー４６の一部分に重なるように、クロスワイヤーに対して平行でクロスワイヤーの下で有効なアパーチャのアレイエリア３７に延在する明確なエッジ４８を含む。ボーダー４６は絶縁物質とは反対のストランドに取り付けされるので、絶縁物質は、例えば、適切なスプレー方法によってストランド上に均一に適用できる。
【００１４】
図４は、ストランド３２が固体のエッチングされたボーダー３６では終了しないが、むしろ有効なアパーチャのアレイエリア３７からサポートブレードエッジ４２まで連続して延在する、本発明の別の実施態様を例示する。この実施態様において、ストランド３２の末端はボーダー４６によって適所に保持されて、一方でストランドの端は適切な溶接手段又は上述のように同様な手段によってエッジ４２に固定される。図３の実施態様のように、ボーダー４６は、フォーカスマスク３０の銃の側面上のクロスワイヤー下の有効なアレイエリア３７内に延在する、明確なエッジ４８を含む。ストランド３２の銃の側面に取り付けられたボーダー４６を備えて、絶縁物質はストランド３２の上部又はスクリーンの側面に均一に適用でき、したがって、２つのコンダクタ間に適切な絶縁を提供し、それによって、コンダクタ間の可能なアーキングを防ぎ、見ることができるスクリーンの上下の外端で正確な集束アパーチャを保証する。
【００１５】
最終的な管の組立段階におけるフォーカスマスク３０を備えた前面パネル８の接続で、フォーカスマスク３０は前面パネル８から延在するスタッド（示されていない）上に設置される。電子銃１３は電子ビームを生成し、該電子ビームの中心の偏向は、スクリーン１２上の発光体ストリップの生成及び位置付けに使用される光源によって続く経路と実質的で有効に一致する。当該技術で周知なマトリックス及びスクリーニング処理で、ボーダー４６は、マトリックス処理での周囲を明確にするために使用でき、また発光体ストリップが垂直の次元で停止することを明確にする。
【００１６】
フレーム２０の反対の端に沿ったボーダー４６の拡張はまた、垂直のオーバースキャン状態においてサポートブレード要素４０から拡散する望ましくない電子を削減できるように、有効な電子ビームの走査領域のエッジで電子シールドを提供する。
【００１７】
前述の記載は、本発明を実行するための数多の可能性を例示する。多数の他の実施態様が、本発明の趣旨及び範囲内で可能である。したがって、制限ではなく実例となるものであると先の記述は見なされ、本発明の範囲が等価な請求項の十分な範囲の請求項によって与えられることが意図される。
【図面の簡単な説明】
【００１８】
【図１】本発明の改善されたフォーカスマスクを含んでいる陰極線管の断面図である。
【図２】本発明によるフォーカスマスク及びフレームアセンブリの斜視図である。
【図３】図２に示されるようなフォーカスマスクアセンブリのコーナー部分の分解斜視図である。
【図４】図３の線４−４に沿って得られたサポートフレームを横切って延在するフォーカスマスクストランドを備える本発明の別の実施態様の断面図である。
【図１】
2005513719.tif 000003
【図２】
2005513719.tif 000004
【図３】
2005513719.tif 000005
【図４】
2005513719.tif 000006
【国際調査報告】
2005513719.tif 000007
2005513719.tif 000008
2005513719.tif 000009